(57)【要約】【課題】どこに置き忘れたかを思い出せないような場合に、簡単な構成で、携帯電子装置が音声あるいは音楽などの音を発生し、所在を報知する。【解決手段】携帯電子装置１０は、入力部４４から設定されたイベントとその継続時間および報知音の種別を特定する所在報知設定とを記憶する報知条件記憶部６１と、報知条件記憶部６１に記憶された所在報知設定に基づいて報知音の種別を特定し音声による所在報知出力を行う所在報知部６４と、報知条件記憶部６１に記憶されたイベントを検出するとともにその継続時間を計数する所在報知制御部６２と、を備え、前記計数された継続時間が報知条件記憶部６１に記憶された継続時間を超過すると、所在報知部６４により音声による所在報知出力を実行する。【選択図】図１
2010028626.tif 000002
【特許請求の範囲】
【請求項１】
入力部と、当該入力部から設定されたイベントとその継続時間および報知音の種別を特定する所在報知設定とを記憶する報知条件記憶部と、
前記報知条件記憶部に記憶された所在報知設定に基づいて報知音の種別を特定し音声による所在報知出力を行う所在報知部と、
前記報知条件記憶部に記憶されたイベントを検出するとともにその継続時間を計数する所在報知制御部と、を備え、
前記計数された継続時間が前記報知条件記憶部に記憶された継続時間を超過すると、前記所在報知部により音声による所在報知出力を実行することを特徴とする携帯電子装置。
【請求項２】
前記報知条件記憶部に記憶するイベントは、前記携帯電子装置の電源ＯＦＦであり、前記所在報知制御部は、携帯電子装置の電源ＯＦＦ時に、前記報知条件記憶部および前記所在報知部に前記電池部から電源を供給することを特徴とする請求項１に記載の携帯電子装置。
【請求項３】
前記携帯電子装置は、振動センサを備え、前記報知条件記憶部に記憶するイベントは、前記振動センサによる振動の不検出であることを特徴とする請求項１または請求項２に記載の携帯電子装置。
【請求項４】
前記報知条件記憶手段に記憶する報知条件には、更に、前記所在報知部による所在報知出力の実行時刻を設定する情報を含むことを特徴とする請求項１に記載の携帯電子装置。
【請求項５】
前記報知条件記憶手段に記憶する報知条件の設定および解除は、前記携帯電子装置に登録されたパスワードの照合に基づいて行われることを特徴とする請求項１に記載の携帯電子装置。
【発明の詳細な説明】
【技術分野】
【０００１】
本発明は、携帯型の音楽プレイヤー、携帯情報端末、携帯ゲーム機、携帯電話などの携帯電子装置に関するものであり、特に、所有者が携帯電子装置を手元から離して長時間が経過し、どこに置き忘れたかを思い出せないような場合に、携帯電子装置の電源がOFFされた状態で長時間の放置された場合など、所定のイベントとその継続時間を報知条件として設定しておき、設定された報知条件に該当する場合に、該携帯電子装置の電源がＯＦＦされた状態であっても、該携帯電子装置が音声あるいは音楽などの音を発生するようになし、その所在を報知するようにした携帯電子装置に関するものである。
【背景技術】
【０００２】
現在では、マイクロプロセッサ（ＣＰＵ）が小型化、高性能化されたことにより、種々の電子装置が携帯できるようになってきている。例えば、携帯型の音楽プレイヤー、携帯情報端末、携帯ゲーム機、携帯電話などであり、また、これらの携帯型の電子装置は、複数の機能を備えた複合機として提供されるようになってきている。
【０００３】
このような携帯電子装置においては、ハード、ソフト機能が充実し、各種の機能を兼ねるようになってきており、これらの機器の普及率の拡大にはめざましいものがある。特に、携帯電話を利用したデータ通信サービスを提供する事業者も増加しており、携帯電話機を利用してバンキング、インターネット販売、ナビゲーション、交通機関やコンビニエンスストアなどの代金決済など様々なサービスを受けることができるようになってきている。特に携帯電話機においては種々のオプションやアプリケーションが搭載可能であり、利用できるサービスの種類も豊富になってきている。
【０００４】
これらの携帯電子装置は、日常的にユーザにより携帯されるものであるが、自宅や勤務先において置き忘れ、その所在が不明になることがある。そのような状態のまま放置されると、携帯電子装置の紛失や盗難につながり、第３者によって不正に使用されるという危険も生じる。このような問題を解決するため、携帯電子装置がその所有者の手元から離れたことを検出して利用者に報知する技術が考慮されている。
【０００５】
このような技術は、例えば、下記の特許文献１（特開２０００−４９６９２号公報）にバッテリパックシステムの発明として開示され、また、下記特許文献２（特開２００６−２６２１１０号公報）に携帯型電子機器の発明として開示され、更に、下記の特許文献３（特開２００３−２２９８１２号公報）に電子機器の発明として開示されている。
【０００６】
この特許文献１に開示されたバッテリパックシステムは、バッテリ回路から電力が供給される送受信回路と、送受信回路とバッテリ回路間に設けられたバッテリパック側電源スイッチと、バッテリ回路の電力を供給するバッテリ・パック本体と、送受信回路と電波の送受を行うセンサ側送受信回路と、センサ側送受信回路に電力を供給するセンサ側バッテリ回路と、センサ側バッテリ回路とセンサ側送受信回路と間に接続されたセンサ側電源スイッチと、センサボックス本体とバッテリパック本体との間で電波の送受を行うように構成されたものであり、携帯電話機器が使用者から距離的に離れると、携帯電話機器からの発信信号を受信機器が受信でき無くなり、使用者に報知するものである。
【０００７】
また、特許文献２に開示された携帯型電子機器は、指定時刻と指定位置とをペアにして記憶しておく記憶部と、現在時刻を取得する時刻取得部と、現在位置を取得する位置取得部と、現在時刻が指定時刻に達したときの現在位置がその指定時刻に対応して記憶されている指定位置と一致するか不一致であるかを判定する判定部と、判定部による不一致との判定結果を受けて、不一致に対応する処理を行なう不一致対応処理部とを有するものであり、設定した時刻に設定した場所に携帯電話がない時に利用者に報知するようにしたものである。
【０００８】
更に、特許文献３に開示された電子機器は、対としてなる携帯電話と携帯用機器をその対の一組とした構成において、互いに相手方の機器の状態を取得するために使用する第１、第２の無線通信手段、を携帯電話及び携帯用機器の各々に備え、第１、第２の無線通信手段により少なくとも互いの存在状態を監視し、存在状態に応じた出力を行う第１、第２の出力部をいずれかの機器に備あるように構成されたものであり、携帯電話や携帯用機器等の電子機器の置き忘れを利用者に報知してその紛失を防止するものである。
【特許文献１】特開２０００−４９６９２号公報
【特許文献２】特開２００６−２６２１１０号公報
【特許文献３】特開２００３−２２９８１２号公報
【発明の開示】
【発明が解決しようとする課題】
【０００９】
しかしながら、上記特許文献１に開示されたバッテリパックシステムの発明は、バッテリ回路から電力が供給される送受信回路と、送受信回路と電波の送受を行うセンサ側送受信回路を設ける必要があり、装置の構成が複雑になるとともに装置コストの増加をもたらすという問題点がある。
【００１０】
また、上記特許文献２に開示された携帯型電子機器は、指定時刻と指定位置とをペアにして記憶しておき、指定された時刻に指定された位置に該携帯型電子機器が存在していない時に所有者に報知するものであり、限られた時刻、限られた場所における報知しかできないという問題点がある。
【００１１】
更に、上記特許文献３に開示された電子機器は、対としてなる携帯電話と携帯用機器を用い、互いに相手方の機器の状態を取得するために使用する無線通信手段を備える必要があり、電子機器の構成が複雑となり装置コストの増加をもたらすばかりでなく、電子機器の所有者が携帯用機器を所持していない場合には、報知を受けることができず、本質的な解決にならないという問題点がある。
【００１２】
本願の発明者は、上記の従来技術の問題点を解消すべく種々検討を重ねた結果、携帯電子装置の電源がＯＦＦされた状態で長時間の放置された場合など、所定のイベントとその継続時間を報知条件として設定しておき、設定された報知条件に該当する場合に、該携帯電子装置が音声あるいは音楽などの音を発生するようになせば、上記の問題点を解消し得ることに想到して本発明を完成するに至ったものである。
【００１３】
すなわち、本発明は上記の問題点を解消することを課題とし、所有者が携帯電子装置を手元から離して長時間が経過し、どこに置き忘れたかを思い出せないような場合に、簡単な構成で、該携帯電子装置が音声あるいは音楽などの音を発生するようになし、その所在を報知するようにした携帯電子装置を提供することを目的とするものである。
【課題を解決するための手段】
【００１４】
前記課題を解決するために、本願の請求項１にかかる発明は、入力部と、当該入力部から設定されたイベントとその継続時間および報知音の種別を特定する所在報知設定とを記憶する報知条件記憶部と、前記報知条件記憶部に記憶された所在報知設定に基づいて報知音の種別を特定し音声による所在報知出力を行う所在報知部と、前記報知条件記憶部に記憶されたイベントを検出するとともにその継続時間を計数する所在報知制御部と、を備え、
前記計数された継続時間が前記報知条件記憶部に記憶された継続時間を超過すると、前記所在報知部により音声による所在報知出力を実行することを特徴とする携帯電子装置である。
【００１５】
また、本願の請求項２にかかる発明は、請求項１にかかる携帯電子装置において、前記報知条件記憶部に記憶するイベントは、前記携帯電子装置の電源ＯＦＦであり、前記所在報知制御部は、携帯電子装置の電源ＯＦＦ時に、前記報知条件記憶部および前記所在報知部に前記電池部から電源を供給することを特徴とする。
また、本願の請求項３にかかる発明は、請求項１または請求項２にかかる携帯電子装置において、携帯電子装置は、振動センサを備え、前記報知条件記憶部に記憶するイベントは、前記振動センサによる振動の不検出であることを特徴とする。
【００１６】
また、本願の請求項４にかかる発明は、請求項１にかかる携帯電子装置において、前記報知条件記憶手段に記憶する報知条件には、更に、前記所在報知部による所在報知出力の実行時刻を設定する情報を含むことを特徴とする。
【００１７】
また、本願の請求項５にかかる発明は、請求項１にかかる携帯電子装置において、前記報知条件記憶手段に記憶する報知条件の設定および解除は、前記携帯電子装置に登録されたパスワードの照合に基づいて行われることを特徴とする。
【発明の効果】
【００１８】
請求項１にかかる発明においては、携帯電子装置は、入力部から設定されたイベントとその継続時間および報知音の種別を特定する所在報知設定とを記憶する報知条件記憶部と、前記報知条件記憶部に記憶された所在報知設定に基づいて報知音の種別を特定し音声による所在報知出力を行う所在報知部と、前記報知条件記憶部に記憶されたイベントを検出するとともにその継続時間を計数する所在報知制御部と、を備え、前記計数された継続時間が前記報知条件記憶部に記憶された継続時間を超過すると、前記所在報知部により音声による所在報知出力を実行する。
【００１９】
かかる構成によれば、所有者が携帯電子装置を手元から離して長時間が経過し、どこに置き忘れたかを思い出せないような場合に、簡単な構成で、該携帯電子装置が音声あるいは音楽などの音を発生してその所在を報知することができるようになる
請求項２にかかる発明においては、請求項１にかかる携帯電子装置において、報知条件記憶部に記憶するイベントは、前記携帯電子装置の電源ＯＦＦであり、前記所在報知制御部は、携帯電子装置の電源ＯＦＦ時に、前記報知条件記憶部および前記所在報知部に前記電池部から電源を供給するから、所有者が携帯電子装置の電源をＯＦＦにして手元から離して長時間が経過し、どこに置き忘れたかを思い出せないような場合に、簡単な構成で、該携帯電子装置が音声あるいは音楽などの音を発生してその所在を報知することができるようになる
請求項３にかかる発明においては、請求項１または請求項２にかかる携帯電子装置において、携帯電子装置は、振動センサを備え、前記報知条件記憶部に記憶するイベントは、前記振動センサによる振動の不検出であるから、所有者が携帯電子装置を所持せずに、または、携帯電子装置の電源をＯＦＦにして手元から離して長時間が経過し、どこに置き忘れたかを思い出せないような場合に、簡単な構成で、該携帯電子装置が音声あるいは音楽などの音を発生してその所在を報知することができるようになる
請求項４にかかる発明においては、請求項１にかかる携帯電子装置において、報知条件記憶手段に記憶する報知条件には、更に、前記所在報知部による所在報知出力の実行時刻を設定する情報を含むから、周囲が静かで所在報知を聞き逃す恐れのない時間に所在報知を受けることができるようになる。
【００２０】
請求項５にかかる発明においては、請求項１にかかる携帯電子装置において、報知条件記憶手段に記憶する報知条件の設定および解除は、前記携帯電子装置に登録されたパスワードの照合に基づいて行われるから、所在報知の機能が誤った状態で作動し、周囲の迷惑になることがないようにすることができる。
【発明を実施するための最良の形態】
【００２１】
以下、本発明の具体例を実施例及び図面を用いて詳細に説明する。但し、以下に示す実施例は、本発明の技術思想を具体化するための携帯電子装置を例示するものであって、本発明をこの実施例の携帯電子装置に特定することを意図するものではなく、特許請求の範囲に含まれるその他の実施形態の携帯電子装置にも等しく適用し得るものである。
【実施例１】
【００２２】
図１は、本発明の実施例１にかかる携帯電子装置である携帯電話１０の構成を示すブロック図である。携帯電話１０は、アンテナ１６と接続された通信部１２を備えている。この通信部１２は、後述のベースバンド部１４からの信号を、アンテナ１６を介して基地局へ発信し、あるいはアンテナ１６を介して基地局からの電波を受信する。
【００２３】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２４】
ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２５】
また、切替回路２２には、増幅回路２８を介してマイクロホン３０が接続されている。このマイクロホン３０は、通話に使用され、音声を電気信号に変換する。マイクロホン３０により入力された電気信号は、増幅回路２８で増幅されてベースバンド部１４に出力される。
【００２６】
切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２７】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２８】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００２９】
制御回路３６には、入力部４４が接続されている。この入力部４４は、電話番号等の入力を行うテンキー４８と、通話の開始を操作する通話キー５０と、通話の終了を操作する切キー５２と、ＯＫキー５４と、クリアキー５５と、を有している。テンキー４８には、０〜９の各数字入力ボタンと、♯ボタンと、＊ボタン（本実施形態では１２個のボタンとなる）とが含まれる。
【００３０】
ディスプレイ４２は、液晶表示パネルなどで構成され、バックライトユニットからなる照明部４６の照明光を受けて画像を表示する。電池部６５はバッテリパックにより構成され、各部に電源を供給する。電池部６５は商用電源にＡＣアダプタや充電台（図示せず）を介して接続され充電される。
【００３１】
本実施例１にかかる携帯電話は、報知条件記憶部６１、所在報知制御部６２、振動センサ６３、所在報知部６４を備えている。振動センサ６３は、携帯電話１０の振動、すなわち、携帯電話１０が所有者に所持され、歩行などに伴う振動を検出する。
【００３２】
報知条件記憶部６１には、携帯電話１０の所有者が、置き忘れ報知を受けるための条件を登録、記憶する。報知条件としては、携帯電話１０の置き忘れを検出するのに適したイベントを設定し、そのイベントの継続時間を設定する。例えば、携帯電話１０の電源をＯＦＦとしたまま所定時間、例えば、２４時間経過した場合には、置き忘れであることが疑われるので、このようなイベントとその継続時間を設定する。
所在報知制御部６２は、報知条件記憶部６１に記憶されたイベントを検出するとともにその継続時間を計数する。イベントが電源ＯＦＦである場合、所在報知制御部６２は、携帯電話１０の電源がＯＦＦされると、報知条件記憶部６１、振動ユニット６３、所在報知部６４に対して電池部６５から電電供給を行うように制御し、置き忘れ報知機能が動作できるようにするとともに、その継続時間を計数する。計数された継続時間が設定された時間、上記の場合は２４時間を超過した場合には、所在報知部６４により音声による所在の報知（置き忘れの報知）を実行させる。
このため、報知条件記憶部６１には、前述のイベントおよび継続時間とともに、携帯電話１０の所有者が所望の報知音の種別を登録、記憶する。報知音の種別としては、例えば、携帯電話１０に登録されている着信メロディーやメッセージを設定する。従って、所在報知部６４は、設定された報知音の種別に従って音声報知を実行する。
【００３３】
図２は、携帯電話１０の所有者が入力部４４などから設定し、報知条件記憶部６１に記憶される報知条件の一例を示す図である。図２に示すように報知条件とするイベントおよび継続時間を報知条件として設定する。電源ＯＦＦの状態が継続して２４時間以上になったら、所在報知の出力をするように設定し、あるいは、振動センサ６３による振動検出が継続して２４時間以上検出されなかったら所在報知の出力をするように設定する。
【００３４】
所有者が携帯電話１０を所持していない場合には、振動センサ６３による振動が検出されなくなるので、これをイベントとして設定し、この状態が所定の時間以上継続したら置き忘れ状態にあると判断できる。電源ＯＦＦの継続時間と、振動センサによる振動の不検出の継続時間の両方を併用して報知条件とすることもできる。
【００３５】
図３は、携帯電話１０の所有者が入力部４４などから設定し、報知条件記憶部６１に記憶される報知方法の一例を示す図である。所在報知設定は報知音の種別を設定するものであり、例えば、報知Ａは着信音メロディーＡを報知音として設定した場合を、報知Ｂは報知音として予め登録したメッセージ（例えば、「ここですよー」などの音声メッセージ）を設定した場合を、報知Ｃは報知音として特定の報知音発生回路を用いる設定をした場合を示している。
【００３６】
このような所在報知の機能が誤った状態で作動すると周囲の迷惑となるので、これらの設定は、携帯電話１０の所有者が明確な意図を持って設定する必要があり、その設定、解除にあたっては、所有者自身が登録した所有者ＩＤやパスワードの入力、照合を経て実行されるように構成することが好ましい。
【００３７】
また、報知条件の設定にあたって、設定したイベントとその継続時間の超過を検出した場合であって、かつ、所在報知を実行する実行時間を設定できるようにすることもできる。例えば、携帯電話１０の置き忘れは自宅内であることが多く、報知時刻を周囲が比較的静かな時間帯と考えられる夜間の２３：００あるいは早朝の５：００などのように設定しておけば、報知音を聞き逃すということも防止できる。また、所在報知の音による報知出力の回数と報知間隔を設定するようにしてもよい。例えば、５分間隔で５回報知するように設定すれば、報知を聞き逃すことがなくなる。
【００３８】
次に、以上説明した本発明の実施例にかかる携帯電話１０の所在報知の処理手順を説明する。図４は、所在報知の手順を示すフローチャートである。携帯電話１０の報知条件記憶部６１には、電源ＯＦＦをイベントとしその継続時間が所定の時間継続した場合に、所在報知を行う設定がなされているものとする。
【００３９】
先ず、所在報知時制御部６２は、携帯電話１０の電源がＯＦＦされたか否かを検出する（ステップＳ１０１）。電源がＯＦＦされていなければステップＳ１０１の処理を繰り返し、電源がＯＦＦされると、所在報知制御部６２は、携帯電話１０の電源ＯＦＦを検出し、報知条件記憶部６１、振動ユニット６３、所在報知部６４に対して電池部６５から電源供給を行うように制御し、電源ＯＦＦ状態の時間計数の処理を開始する（ステップＳ１０２）。
【００４０】
ステップＳ１０３で所在報知時制御部６２は、携帯電話１０の電源ＯＮを判別する。電源がＯＮでなければ、所在報知部６４は、時間計数の結果、所定時間（報知条件として設定された継続時間）経過したかを判別する（ステップＳ１０４）。所定時間経過していれば、ステップＳ１０５の処理に進み、設定された報知音種別（図３参照）に応じて所在報知を実行する。所定時間経過していなければ、ステップＳ１０３の処理に戻り、時間計数の処理を継続する。
【００４１】
一方、ステップＳ１０３の判別処理で、携帯電話１０の電源がＯＮされていると判別すると、所在報知制御部６２は、時間計数をリセットし（ステップＳ１０６）、ステップＳ１０１の処理に戻る。
【００４２】
以上、説明したように、本発明によれば、所有者が携帯電子装置を手元から離して長時間が経過し、どこに置き忘れたかを思い出せないような場合に、簡単な構成で、該携帯電子装置が音声あるいは音楽などの音を発生してその所在を報知することができるようになる。
【００４３】
なお、上記実施例においては携帯電話を携帯電子装置の１例として本発明を説明したが、本発明は携帯電話に限らず、携帯音楽プレイヤーや携帯情報端末など、種々の携帯電子装置に適用することができる。
【図面の簡単な説明】
【００４４】
【図１】本発明の実施例にかかる携帯電子装置である携帯電話の構成を示すブロック図である。
【図２】報知条件記憶部に記憶される報知条件の一例を示す図である。
【図３】報知条件記憶部に記憶される報知方法の一例を示す図である。
【図４】本発明の実施例にかかる携帯電子装置における置き忘れ報知の動作手順を示すフローチャートである。
【符号の説明】
【００４５】
１０・・・・・携帯電話
１２・・・・・通信部
１４・・・・・ベースバンド部
２２・・・・・切替回路
２６，３４・・スピーカ
３０・・・・・マイクロホン
３６・・・・・制御回路
３８・・・・・ＲＯＭ
４０・・・・・ＲＡＭ
４２・・・・・ディスプレイ
４４・・・・・入力部
６１・・・・・報知条件記憶部
６２・・・・・所在報知制御部
６３・・・・・振動センサ
６４・・・・・所在報知部
６５・・・・・電池部
【図１】
2010028626.tif 000003
【図２】
2010028626.tif 000004
【図３】
2010028626.tif 000005
【図４】
2010028626.tif 000006